(57)【特許請求の範囲】
【請求項１】
一端に形成した凹部を挟んだアーム部にバンド短手方向に沿う連結貫通穴を有する一方の長さ調整駒と、凹部に組み合わされる凸部を有し且つ凸部にバンド短手方向に沿う連結貫通穴を有する他方の長さ調整駒とを有し、
一方及び他方の長さ調整駒の連結貫通穴に、半甲丸状の断面を有する金属線を二つ折りに折曲して、その一部に互いに背向して径方向に突出する突出部を形成した連結ピンを挿入することにより一方及び他方の長さ調整駒を着脱可能に連結してなるバンドの長さ調節構造において、
他方の長さ調整駒の凸部に設けられた連結貫通穴の一端に、一方の長さ調整駒の凹部の連結貫通穴より径大の段穴部を形成し、
連結ピンの突出部を、その金属線を二つ折りした折線部毎に、連結ピンの軸線方向を中心に互いに離間する方向に向けて突出した片側突出部を互いに背向して形成すると共に、凹部の連結貫通穴より径大で且つ段穴部より径小に形成し、
連結ピンを凹部の連結貫通穴より挿入し、段穴部に突出部を落とし込み装着したとき、連結ピンの突出部を段穴部に圧接せずに配設するようにした構造であって、
片側突出部は、
片側突出部における連結ピン軸線方向に沿った両端に形成され、連結ピンの軸線方向に対して略垂直に立ち上がる角部と、
これら角部の間に、これら角部と連続して、連結ピン軸線方向に沿って形成され、連結ピンの軸線方向に対して緩い角度で傾くテーパーと、
を備えるバンドの長さ調節構造。
【請求項２】
一端に形成した凹部を挟んだアーム部にバンド短手方向に沿う連結貫通穴を有する一方の長さ調整駒と、凹部に組み合わされる凸部を有し且つ凸部にバンド短手方向に沿う連結貫通穴を有する他方の長さ調整駒とを有し、
一方及び他方の長さ調整駒の連結貫通穴に、半甲丸状の断面を有する金属線を二つ折りに折曲して、その一部に互いに背向して径方向に突出する突出部を形成した連結ピンを挿入することにより一方及び他方の長さ調整駒を着脱可能に連結してなるバンドの長さ調節構造において、
他方の長さ調整駒の凸部に設けられた連結貫通穴を、一方の長さ調整駒の凹部の連結貫通穴より径大の径大連結貫通穴で構成し、
連結ピンの突出部を、その金属線を二つ折りした折線部毎に、連結ピンの軸線方向を中心に互いに離間する方向に向けて突出した片側突出部を互いに背向して形成すると共に、凹部の連結貫通穴より径大で且つ径大連結貫通穴より径小に形成し、
連結ピンを凹部の連結貫通穴より挿入し、径大連結貫通穴に突出部を落とし込み装着したとき、連結ピンの突出部を径大連結貫通穴に圧接せずに配設するようにした構造であって、
片側突出部は、
片側突出部における連結ピン軸線方向に沿った両端に形成され、連結ピンの軸線方向に対して略垂直に立ち上がる角部と、
これら角部の間に、これら角部と連続して、連結ピン軸線方向に沿って形成され、連結ピンの軸線方向に対して緩い角度で傾くテーパーと、
を備えるバンドの長さ調節構造。
【請求項３】
一端に形成した凹部を挟んだアーム部にバンド短手方向に沿う連結貫通穴を有する一方及び他方の長さ調整外駒と、一方及び他方の長さ調整外駒の凹部が成す孔状部に挿入されてバンド短手方向に沿う連結貫通穴をバンド長手方向に一対設けた長さ調整中駒とを有し、
一方及び他方の長さ調整外駒の連結貫通穴と長さ調整中駒の連結貫通穴とに、半甲丸状の断面を有する金属線を二つ折りに折曲して、その一部に互いに背向して径方向に突出する突出部を形成した連結ピンを挿入することにより長さ調整中駒を介して一方及び他方の長さ調整外駒を着脱可能に連結してなるバンドの長さ調節構造において、
長さ調整中駒に設けられた連結貫通穴の一端に、長さ調整外駒の連結貫通穴より径大の段穴部を形成し、
連結ピンの突出部を、その金属線を二つ折りした折線部毎に、連結ピンの軸線方向を中心に互いに離間する方向に向けて突出した片側突出部を互いに背向して形成すると共に、長さ調整外駒の連結貫通穴より径大で且つ段穴部より径小に形成し、
連結ピンを長さ調整外駒の連結貫通穴より挿入し、長さ調整中駒の段穴部に突出部を落とし込み装着したとき、連結ピンの突出部を段穴部に圧接せずに配設するようにした構造であって、
片側突出部は、
片側突出部における連結ピン軸線方向に沿った両端に形成され、連結ピンの軸線方向に対して略垂直に立ち上がる角部と、
これら角部の間に、これら角部と連続して、連結ピン軸線方向に沿って形成され、連結ピンの軸線方向に対して緩い角度で傾くテーパーと、
を備えるバンドの長さ調節構造。
【請求項４】
一端に形成した凹部を挟んだアーム部にバンド短手方向に沿う連結貫通穴を有する一方及び他方の長さ調整外駒と、一方及び他方の長さ調整外駒の凹部が成す孔状部に挿入されてバンド短手方向に沿う連結貫通穴をバンド長手方向に一対設けた長さ調整中駒とを有し、
一方及び他方の長さ調整外駒の連結貫通穴と長さ調整中駒の連結貫通穴とに、半甲丸状の断面を有する金属線を二つ折りに折曲して、その一部に互いに背向して径方向に突出する突出部を形成した連結ピンを挿入することにより長さ調整中駒を介して一方及び他方の長さ調整外駒を着脱可能に連結してなるバンドの長さ調節構造において、
長さ調整中駒に設けられた連結貫通穴を、長さ調整外駒の連結貫通穴より径大の径大連結貫通穴で構成し、
連結ピンの突出部を、その金属線を二つ折りした折線部毎に、連結ピンの軸線方向を中心に互いに離間する方向に向けて突出した片側突出部を互いに背向して形成すると共に、長さ調整外駒の連結貫通穴より径大で且つ径大連結貫通穴より径小に形成し、
連結ピンを長さ調整外駒の連結貫通穴より挿入し、長さ調整中駒の径大連結貫通穴に突出部を落とし込み装着したとき、連結ピンの突出部を径大連結貫通穴に圧接せずに配設するようにした構造であって、
片側突出部は、
片側突出部における連結ピン軸線方向に沿った両端に形成され、連結ピンの軸線方向に対して略垂直に立ち上がる角部と、
これら角部の間に、これら角部と連続して、連結ピン軸線方向に沿って形成され、連結ピンの軸線方向に対して緩い角度で傾くテーパーと、
を備えるバンドの長さ調節構造。
【請求項５】
前記連結ピンの突出部に形成したテーパーが、０．５°から５．０°の範囲に形成されていることを特徴とする請求項１乃至請求項４記載のいずれか１つのバンドの長さ調節構造。
【請求項６】
前記連結ピンの突出部に形成したテーパーが、１．０°から２．０°の範囲に形成されていることを特徴とする請求項１乃至請求項４記載のいずれか１つのバンドの長さ調節構造。
【請求項７】
前記段穴部または前記径大連結貫通穴に落とし込んだ前記連結ピンが、その矩形をなす前記突出部の４つの角部でバンド短手方向の移動を規制している請求項１乃至請求項４記載のいずれか１つのバンドの長さ調節構造。
【請求項８】
前記連結ピンが前記駒から圧迫を受けず、自由状態で組み込まれている請求項１乃至請求項４記載のいずれか１つのバンドの長さ調節構造。
【請求項９】
前記長さ調整駒の前記凹部の前記連結貫通穴の外端又は前記長さ調整外駒の前記連結貫通穴の外端から前記段穴部の底までの長さＳと、前記連結ピンの二つ折りに折曲した端面から前記突出部における該端面に近い方の一端までの長さＬとの関係が、
Ｓ＜Ｌ
である請求項１又は請求項３記載のバンドの長さ調節構造。
【請求項１０】
前記バンドは、時計バンド、衣料用バンド、ブレスレッド、ネックレスの中の一つである請求項１乃至請求項４記載のいずれか１つのバンドの長さ調節構造。
【発明の詳細な説明】
【０００１】
【発明の属する技術分野】
本発明は、時計バンド、衣料用バンド、バンド構成のブレスレッド及びネックレス等のバンドの長さ調節構造に関するものである。
【０００２】
【従来の技術】
従来のこの種のバンドの長さ調節構造としては、図９に示すものがあった。この構造においては、凹部６０を挟むアーム部６１Ａ，６１Ｂを有する長さ調整駒６３と、その凹部６０に適合する凸部６４を有する長さ調整駒６６とを組み付け、それらを連結ピン６７で連結したものとなっている。アーム部６１Ａ，６１Ｂ及び凸部６４には、バンド短手方向に沿う凹部側連結貫通穴６２Ａ，６２Ｂと凸部側連結貫通穴６５がそれぞれ設けられている。この凹部側連結貫通穴６２Ａ，６２Ｂと凸部側連結貫通穴６５は、長さ調整駒６３，６６を組み付けることにより連通し、その一部に径大の段穴部６８が設けられている。また、連結ピン６７は、半甲丸状の断面を有する金属線を二つ折りに折曲し、その一部に互いに背向して径方向に突出させた突出部６９を有するものとなっている。この突出部６９は、その表面が連結ピン６７の軸線方向に沿った略矩形状をなすものとなっている。
【０００３】
このバンドの長さ調節構造においては、長さ調整駒６３，６６を組み付けることにより連通した凹部側連結貫通穴６２Ａ，６２Ｂと凸部側連結貫通穴６５に連結ピン６７を挿入し、挿入時の圧力により突出部６９を径方向に圧縮させながら凹部側連結貫通穴６２Ａを通過させ、突出部６９が段穴部６８に達すると復元して連結ピン６７の抜脱を防いで連結するものとなっている。
【０００４】
【発明が解決しようとする課題】
しかしながら、上記従来のバンドの長さ調節構造では、明らかに凹部側連結貫通穴６２Ａよりも径大となる突出部６９を、連結ピン６７の軸線方向への挿入圧力によって一気に径方向に圧縮させていたので、図１０に示すように、突出部６９が径方向につぶれて変形を起こすものがあった。このように突出部６９が変形した連結ピン６７は繰り返しの脱着ができず、複数回の使用ができないため長さ調整駒を連結する連結ピンとしての機能を有していなかった。
【０００５】
また、突出部６９が大きく変形しなくても、連結ピン６７の挿脱時の大きなストレスにより、突出部６９の端部付近にクラックが入るものがあった。このようなクラックの発生は、錆や破損の原因となるため、長期間の使用における信頼性に問題があった。
【０００６】
更に、連結ピン６７を組み込むときに突出部６９を大きく径方向に圧縮させなければならないので、連結ピン６７の組み込みに強い力が必要となり、連結ピンの組込作業性にも問題があった。
【０００７】
本発明は、上記従来技術の問題点に鑑みなされたもので、連結ピンの突出部の変形が起きにくく、長期使用においても安定した機能品質を有し、連結ピンの組込作業性も良好なバンドの長さ調節構造を提供するものである。
【０００８】
【課題を解決するための手段】
本発明のバンドの長さ調節構造は、請求項１に示すように、一端に形成した凹部を挟んだアーム部にバンド短手方向に沿う連結貫通穴を有する一方の長さ調整駒と、凹部に組み合わされる凸部を有し且つ凸部にバンド短手方向に沿う連結貫通穴を有する他方の長さ調整駒とを有し、
一方及び他方の長さ調整駒の連結貫通穴に、半甲丸状の断面を有する金属線を二つ折りに折曲して、その一部に互いに背向して径方向に突出する突出部を形成した連結ピンを挿入することにより一方及び他方の長さ調整駒を着脱可能に連結してなるバンドの長さ調節構造において、
他方の長さ調整駒の凸部に設けられた連結貫通穴の一端に、一方の長さ調整駒の凹部の連結貫通穴より径大の段穴部を形成し、
連結ピンの突出部を、その金属線を二つ折りした折線部毎に、連結ピンの軸線方向を中心に互いに離間する方向に向けて突出した片側突出部を互いに背向して形成すると共に、凹部の連結貫通穴より径大で且つ段穴部より径小に形成し、
連結ピンを凹部の連結貫通穴より挿入し、段穴部に突出部を落とし込み装着したとき、連結ピンの突出部を段穴部に圧接せずに配設するようにした構造であって、
片側突出部は、
片側突出部における連結ピン軸線方向に沿った両端に形成され、連結ピンの軸線方向に対して略垂直に立ち上がる角部と、
これら角部の間に、これら角部と連続して、連結ピン軸線方向に沿って形成され、連結ピンの軸線方向に対して緩い角度で傾くテーパーと、
を備えるようにしたものである。
【０００９】
また、本発明のバンドの長さ調節構造は、請求項２に示すように、上記請求項１と同様のバンドの長さ調節構造において、
他方の長さ調整駒の凸部に設けられた連結貫通穴を、一方の長さ調整駒の凹部の連結貫通穴より径大の径大連結貫通穴で構成し、
連結ピンの突出部を、その金属線を二つ折りした折線部毎に、連結ピンの軸線方向を中心に互いに離間する方向に向けて突出した片側突出部を互いに背向して形成すると共に、凹部の連結貫通穴より径大で且つ径大連結貫通穴より径小に形成し、
連結ピンを凹部の連結貫通穴より挿入し、径大連結貫通穴に突出部を落とし込み装着したとき、連結ピンの突出部を径大連結貫通穴に圧接せずに配設するようにした構造であって、
片側突出部は、
片側突出部における連結ピン軸線方向に沿った両端に形成され、連結ピンの軸線方向に対して略垂直に立ち上がる角部と、
これら角部の間に、これら角部と連続して、連結ピン軸線方向に沿って形成され、連結ピンの軸線方向に対して緩い角度で傾くテーパーと、
を備えるようにしたものである。
【００１０】
また、本発明のバンドの長さ調節構造は、請求項３に示すように、一端に形成した凹部を挟んだアーム部にバンド短手方向に沿う連結貫通穴を有する一方及び他方の長さ調整外駒と、一方及び他方の長さ調整外駒の凹部が成す孔状部に挿入されてバンド短手方向に沿う連結貫通穴をバンド長手方向に一対設けた長さ調整中駒とを有し、
一方及び他方の長さ調整外駒の連結貫通穴と長さ調整中駒の連結貫通穴とに、半甲丸状の断面を有する金属線を二つ折りに折曲して、その一部に互いに背向して径方向に突出する突出部を形成した連結ピンを挿入することにより長さ調整中駒を介して一方及び他方の長さ調整外駒を着脱可能に連結してなるバンドの長さ調節構造において、
長さ調整中駒に設けられた連結貫通穴の一端に、長さ調整外駒の連結貫通穴より径大の段穴部を形成し、
連結ピンの突出部を、その金属線を二つ折りした折線部毎に、連結ピンの軸線方向を中心に互いに離間する方向に向けて突出した片側突出部を互いに背向して形成すると共に、長さ調整外駒の連結貫通穴より径大で且つ段穴部より径小に形成し、
連結ピンを長さ調整外駒の連結貫通穴より挿入し、長さ調整中駒の段穴部に突出部を落とし込み装着したとき、連結ピンの突出部を段穴部に圧接せずに配設するようにした構造であって、
片側突出部は、
片側突出部における連結ピン軸線方向に沿った両端に形成され、連結ピンの軸線方向に対して略垂直に立ち上がる角部と、
これら角部の間に、これら角部と連続して、連結ピン軸線方向に沿って形成され、連結ピンの軸線方向に対して緩い角度で傾くテーパーと、
を備えるようにしたものである。
【００１１】
また、本発明のバンドの長さ調節構造は、請求項４に示すように、上記請求項３と同様のバンドの長さ調節構造において、
長さ調整中駒に設けられた連結貫通穴を、長さ調整外駒の連結貫通穴より径大の径大連結貫通穴で構成し、
連結ピンの突出部を、その金属線を二つ折りした折線部毎に、連結ピンの軸線方向を中心に互いに離間する方向に向けて突出した片側突出部を互いに背向して形成すると共に、長さ調整外駒の連結貫通穴より径大で且つ径大連結貫通穴より径小に形成し、
連結ピンを長さ調整外駒の連結貫通穴より挿入し、長さ調整中駒の径大連結貫通穴に突出部を落とし込み装着したとき、連結ピンの突出部を径大連結貫通穴に圧接せずに配設するようにした構造であって、
片側突出部は、
片側突出部における連結ピン軸線方向に沿った両端に形成され、連結ピンの軸線方向に対して略垂直に立ち上がる角部と、
これら角部の間に、これら角部と連続して、連結ピン軸線方向に沿って形成され、連結ピンの軸線方向に対して緩い角度で傾くテーパーと、
を備えるようにしたものである。
【００１２】
上記バンドの長さ調節構造における前記連結ピンの突出部に形成したテーパーは、前記突出部の両端からその中央に向かって形成されている。
【００１３】
また、上記バンドの長さ調節構造における前記連結ピンの突出部に形成したテーパーは、０．５°から５．０°の範囲に形成されているか、あるいは、１．０°から２．０°の範囲に形成されている。
【００１４】
また、上記バンドの長さ調節構造における前記段穴部または前記径大連結貫通穴に落とし込んだ前記連結ピンは、その矩形をなす前記突出部の４つの角部でバンド短手方向の移動を規制されている。また、前記連結ピンは、前記駒から圧迫を受けず、自由状態で組み込まれている。
【００１５】
また、上記バンドの長さ調節構造における前記長さ調整駒の前記凹部の前記連結貫通穴の外端又は前記長さ調整外駒の前記連結貫通穴の外端から前記段穴部の底までの長さＳと、前記連結ピンの二つ折りに折曲した端面から前記突出部における該端面に近い方の一端までの長さＬとの関係は、Ｓ＜Ｌに設定されている。
【００１６】
また、上記バンドの長さ調節構造における前記バンドは、時計バンド、衣料用バンド、ブレスレッド、ネックレスの中の一つである。
【００１７】
【発明の実施の形態】
本発明における連結ピンの突出部は、その金属線を二つ折りにした折線部毎に連結ピンの軸線方向に対して略垂直に立ち上がる片側突出部を互いに背向させることにより形成されている。本発明における連結ピンの突出部は、特に、略矩形形状でその表面に連結ピンの軸線方向にテーパーを形成したものとなっている。また、連結ピンの突出部は、長さ調整駒の連結貫通穴より径大で且つ段穴部より径小となっている。
【００１８】
このような突出部を有する連結ピンを長さ調整駒の連結貫通穴に組み込むと、その突出部は表面のテーパーが連結貫通穴の内面に押し当てられることにより徐々に径方向に圧縮されて連結貫通穴内に入る。そして、この突出部が段穴部に達するとそこで径方向に広がって復元する。このように、突出部は連結ピンを組み込む際に徐々に圧縮されるため、前述した従来技術における連結ピンの突出部のようにつぶれて変形することがなく、複数回の使用に耐えるものとなっている。また、連結ピンを組み込んだときに突出部が徐々に圧縮されるため、突出部の端部付近にいきなり大きなストレスがかかることがない。このため、クラックが発生することもなく、長期間安定した機能品質を保つことができる。更に、連結ピンの突出部の表面がテーパーとなっているため、連結ピンの組み込みがし易く、一気に強い力を加える必要もなくなり、組込作業性も向上させることができる。
【００１９】
また、連結ピンの突出部のテーパーを突出部の一端から他端に向かって形成するだけでなく、突出部の両端から中央に向かって形成することもできる。このように突出部の両端から中央に向かって連結ピンの径が増すようにテーパーを形成すると、連結ピンの向きにかかわらず挿脱するときに突出部が徐々に圧縮されるように構成することができる。このため、連結ピンの向きにかかわらず挿脱し易くすることができる。上記何れのテーパーにおいてもその角度は、連結ピンの軸線に対して０．５°〜５．０°の範囲に設定することが実験により効果的であることが確認されており、１．０°〜２．０°の範囲が特に好ましい範囲となっている。
【００２０】
一方、上記連結ピンを組み込む長さ調整駒においても、その凸部に設けた連結貫通穴の一端に径大の段穴部を形成するだけでなく、その凸部の連結貫通穴全体を段穴部で構成することにより幅の狭いバンドにも対応させている。また、同一形状の長さ調整駒を組み合わせるだけでなく、形状が異なる長さ調整外駒と長さ調整中駒を組み合わせるバンドにおいても長さ調整中駒の連結貫通穴に段穴部を設けることで前述した連結ピンによる連結を可能にすることができる。
【００２１】
また、連結ピンの突出部は、凹部の連結貫通穴より径大で且つ段穴部より径小にしてある。このため、突出部が段穴部に挿入された状態では、連結ピンは、凹部と凸部の連結貫通穴、段穴部内に自由な状態で組み込まれており、圧接部分がない。このために、連結ピン自体の材料特性（スプリング性等）が継続し、連結ピンの脱落が皆無になるし、また、連結ピンを繰り返し使用しても安定した着脱作業を行うことができる。
【００２２】
また、前記連結ピンの突出部の角部が段穴部の端部に干渉して、この段穴部がストッパーの働きをするために、連結ピンの位置が安定し、腕時計の携帯にずれることがない。また、連結ピン自体の材料特性（スプリング性等）が継続するために、バンドの長さ調節構造としての信頼性が高く評価される。
【００２３】
また、連結貫通穴の外端から段穴部の先方側の内端までの長さＳと、連結ピンの二つ折りに折曲した先端部から突出部の前記先端部側の一端までの長さＬがＳ＜Ｌとなるように設定している。このため、連結ピンの先端部を連結貫通穴の外端から挿入した場合、連結ピンの先端部が段穴部を通過した時点で連結ピンの突出部が連結貫通穴の外端に達することになり、連結ピンの先端部が段穴部内でぐらつくことなく連結ピンを組み込むことができる。
【００２４】
また、本発明におけるバンドの長さ調節構造は、時計バンド、衣料用バンド、ブレスレッド、ネックレスに適用することができるものとなっている。
【００２５】
【実施例】
以下図面に基づいて本発明の実施例を説明する。 図１は本発明に係わるバンドの長さ調節構造（実施例１）の分解状態の斜視図、図２は図１のＡ−Ａ線に沿う断面図、図３は本発明に係わるバンドの長さ調節構造（実施例１）の一部切断した平面図、図４の（１）は同バンドの長さ調節構造（実施例１）における連結ピンの側面図、図４の（２）は同連結ピンの片側突出部の拡大図、図４の（３）は図４の（１）のＦ−Ｆ線に沿う断面図、図４の（４）は図４の（１）のＧ−Ｇ線に沿う断面図、図４の（５）は図４の（１）のＨ−Ｈ線に沿う断面図である。
【００２６】
図１に示すように、バンドは、隣り合う長さ調整駒２をヘアーピン状の連結ピン３で連結して構成してある。これらの長さ調整駒２は、駒本体２Ａを有しており、この駒本体２Ａの一端部には、凹部５Ａと、この凹部５Ａの両側（バンド短手方向に両側）に位置するアーム部４Ａ、４Ｂとが形成してあり、また、駒本体２Ａの他端部には凸部５が形成してある。この凸部５の幅寸法は凹部５Ａの幅寸法よりもやや小さ目に設定してある。
【００２７】
アーム部４Ａ、４Ｂにはバンド短手方向に沿う凹部側連結貫通穴（凹部の連結貫通穴）６Ａ、６Ｂが形成してあり、凸部５にはバンド短手方向に沿う凸部側連結貫通穴（凸部の連結貫通穴）７が形成してあり、この凸部側連結貫通穴７の一端には、凹部側連結貫通穴６Ａ、６Ｂより径大の段穴部７Ａが形成してある。そして、隣り合う長さ調整駒２において、一方の長さ調整駒２の凹部５Ａに、他方の長さ調整駒２の凸部５を挿入した状態では、凹部側連結貫通穴６Ａ、６Ｂと凸部側連結貫通穴７とは一直線上に位置することになる。
【００２８】
連結ピン３は、図４の（１）〜（５）に示すように半甲丸状の断面を有する金属線８を二つ折りに折曲して、その一部に互いに背向して径方向に突出する突出部９を形成して構成してあり、この突出部９は、その金属線８を二つ折りした折線部８Ａ毎に、連結ピン３の軸線方向に対して略垂直方向に（段穴部７Ａの径方向）立ち上がり、片側突出部９Ａを互いに背向して略矩形形状にして形成したものとなっている。この突出部９の表面は、連結ピン３の軸線に対して１°の角度をなすテーパーとなるテーパー面ＴＳで構成されている。この突出部９のテーパー面ＴＳは、連結ピン３の先端部３ａ側にある突出部９の一端から他端に向かって上昇するように傾斜している。また、この突出部９は、片側突出部９Ａの両端が成す４つの角部１０ａ、１０ｂを有している。そして、突出部９の高さｈは，凹部側連結貫通穴６Ａ、６Ｂ、凸部側連結貫通穴７のそれぞれの直径より大きくしてある。そして、連結ピン３は、突出部９を中にして一方及び他方のピン部３Ａ、３Ｂを有しており、一方のピン部３Ａの長さ寸法はＬに設定している。
【００２９】
そして、隣り合う長さ調整駒２において、一方の長さ調整駒２の凹部５Ａに、他方の長さ調整駒２の凸部５を挿入した状態で、一方の凹部側連結貫通穴６Ａから凸部側連結貫通穴７を介して他方の凹部側連結貫通穴６Ｂに前記連結ピン３を挿入することにより、隣り合う長さ調整駒２が互いに連結するものとなっている。
【００３０】
すなわち、前記連結ピン３を、その一方のピン部３Ａ側から一方の凹部側連結貫通穴６Ａに、続けて凸部側連結貫通穴７に挿入していくと、突出部９が凹部側連結貫通穴６Ａの内面により中心側に圧縮を受けて撓む。このときに、凹部側連結貫通穴６Ａの内面に突出部９のテーパー面ＴＳが当接し、突出部９は徐々に圧縮されることになる。そして、突出部９が段穴部７Ａに挿入されて突出部９の他方の角部１０ｂが凹部側連結貫通穴６Ａの端部を過ぎると、突出部９が段穴部７Ａの径方向に変位し、このときに「カツン」という感触を指先に与える。これにより突出部９が段穴部７Ａに入ったことが解る。
【００３１】
この状態では、連結ピン３の一方のピン部３Ａは凸部側連結貫通穴７から他方の凹部側連結貫通穴６Ｂ内に至り、また、連結ピン３の他方のピン部３Ｂは一方の凹部側連結貫通穴６Ａ内に位置しており、隣り合う長さ調整駒２は連結ピン３により互いに連結される。
【００３２】
上記のように、連結ピン３は、凹部側連結貫通穴６Ａを通過するときに突出部９のテーパー面ＴＳによって無理なく徐々に圧縮されることになる。このため、凹部側連結貫通穴６Ａを通過したときに、突出部９が変形したり、突出部９の端部にクラックが発生することがない。
【００３３】
これを確認するため、この連結ピン３と、図９に示す従来の連結ピンを同一条件下において長さ調整駒の連結貫通穴に１回挿入する挿入試験を行ったところ、従来の連結ピンは３万本中６５本に変形、クラックが発生し、本実施例における連結ピン３は３万本中、変形、クラックが発生したものは０本であった。
【００３４】
また、連結ピン３のテーパー面ＴＳの傾斜角に関しては、突出部９の長さ（軸線方向の寸法）が長いものにおいては傾斜角を小さくし、長さが短いものにおいては傾斜角を大きくすることが効果的である。この傾斜角の範囲についても０．５°〜５．０°の範囲において効果が認められ、特に、１．０°〜２．０°の範囲が最も好ましいことが実験にて確認されている。
【００３５】
また、突出部９の長さに関しては、一定の長さを確保することが望ましいが、バンドの駒幅が狭いもの等の場合には連結ピン自体が短いため突出部９の長さも短くしなければならない。このような場合には上記のようにテーパー面ＴＳの傾斜角を大きくして、短い距離で所定分だけ突出部９を圧縮するようにした方が効果的である。
【００３６】
一方、長さ調整駒２の凹部側連結貫通穴６Ａの外端から段穴部７Ａの底までの長さＳと、連結ピン３の一方のピン部３Ａの長さ、すなわち、二つ折りに折曲した先端部３ａから突出部９（一方の角部１０ａ）の一端までの長さＬとの関係は、Ｓ＜Ｌとなるように設定している。
【００３７】
この場合、連結ピン３の一方のピン部３Ａが案内の役目をして円滑に前記突出部９を段穴部７Ａを装着することができる。Ｓ≧Ｌの場合には、連結ピン３の突出部９が凹部側連結貫通穴６Ａにわずかに挿入された時、連結ピン３の先端が段穴部７Ａ内にあり、突出部９を凹部側連結貫通穴６Ａに更に挿入すると、連結ピン３の先端が段穴部７Ａ内で上方を向いたり、下方を向いたりして安定せず、更に挿入すると、連結ピン３の先端が段穴部７Ａの底に突き当たりして、一方のピン部３Ａが凹部側連結貫通穴６Ｂに案内されにくくなる。この結果、連結ピン３の連結貫通穴６Ａ、６Ｂへの挿入作業性が著しく悪くなる。
【００３８】
また、連結ピン３は、凹部側連結貫通穴６Ａ、６Ｂ、段穴部７Ａおよび凸部側連結貫通穴７内に自由な状態で組み込まれており（駒から圧迫を受けず）、圧接部分がまったくない。このために、連結ピン３自体の材料特性（スプリング性等）が継続し、同じく連結ピン３を繰り返し使用しても安定した着脱作業を行うことができる。
【００３９】
また、上記したように連結ピン３を押し込んでいくと、最後に「カツン」という感触を指先に受けるために、連結ピン３の突出部９が段穴部７Ａに完全に入ったことが解る。つまり、連結ピン３の組み込みが確実に行われたことが感触として確認できるため、連結ピン３の位置を微妙に調べながら押し込む必要がなく作業性が向上する。
【００４０】
また、前記連結ピン３の突出部９の角部１０ａ、１０ｂが段穴部７Ａの端部に干渉して、この段穴部７Ａがストッパーの働きをするために、連結ピン３の位置が安定し、腕時計の携帯にずれることがない。また、連結ピン３自体の材料特性（スプリング性等）が継続するために、バンドの長さ調節構造としての信頼性が高く評価される。
【００４１】
しかも、長さ調整駒２の連結部分を設計する上で段穴部７Ａの寸法を確保することは容易であり、バンドのデザインを特別に制約することがなく、新モデル企画に対してデザインテストの大幅な変更を要求しない。また、凹部側連結貫通穴６Ａ、６Ｂは連結ピン３の突出部９の径より小さいために、凹部側連結貫通穴６Ａ、６Ｂの外から見える端部は径小なものであり、外観上見栄えがよくなる。また、前記連結ピン３を取り外す場合には、力のかけ方が一定で済むために、連結ピン３の取り外す作業が安定する。
【００４２】
なお、長さ調整駒２としては、その駒本体の一端部に複数の凹部と、これらの凹部により形成される複数のアーム部とを形成し、また、駒本体の他端部に複数の凸部を形成し、アーム部にバンド短手方向に沿う凹部側連結貫通穴を、凸部にはバンド短手方向に沿う凸部側連結貫通穴を形成して、これらの凸部側連結貫通穴の一端に、凹部側連結貫通穴より径大の段穴部を形成して、隣り合う長さ調整駒２において、一方の長さ調整駒２の凹部に、他方の長さ調整駒２の凸部を挿入した状態で、一方の凹部側連結貫通穴から凸部側連結貫通穴を介して他方の凹部側連結貫通穴に連結ピン３を挿入し、連結ピン３の突出部９を段穴部に挿入することにより、隣り合う長さ調整駒２が互いに連結するようにしてもよい。
【００４３】
図５は本発明に係わるバンドの長さ調節構造（実施例２）の分解状態の斜視図、図６は図５のＩ−Ｉ線に沿う断面図である。
【００４４】
実施例２に係わるバンドの長さ調節構造は、実施例１の長さ調節構造を備えたバンドより幅の狭い（バンドの幅が５ｍｍ〜６ｍｍ以下のものに使用）、女性用バンドに具備されるものであり、そのバンドの隣り合う長さ調整駒１２は駒本体１２Ａを有しており、この駒本体１２Ａの一端部には、凹部１５Ａと、この凹部１５Ａの両側（バンド短手方向に両側）に位置するアーム部１４Ａ、１４Ｂとが形成してあり、また、駒本体１２Ａの他端部には凸部１５が形成してある。この凸部１５の幅寸法は凹部１５Ａの幅寸法よりやや小さめに設定してある。
【００４５】
そして、アーム部１４Ａ、１４Ｂにはバンド短手方向に沿う凹部側連結貫通穴１６Ａ、１６Ｂが形成してあり、凸部１５にはバンド短手方向に沿う凸部側径大連結貫通穴（径大連結貫通穴）１７が形成してある。そして、隣り合う長さ調整駒１２において、一方の長さ調整駒１２の凹部１５Ａに、他方の長さ調整駒１２の凸部１５を挿入した状態では、凹部側連結貫通穴１６Ａ、１６Ｂと凸部側径大連結貫通穴１７とは一直線上に位置するものとなっている。
【００４６】
連結ピン１３は、半甲丸状の断面を有する金属線１８を二つ折りに折曲して、その一部に互いに背向して径方向に突出する突出部１９を形成して構成してあり、この突出部１９は、その金属線１８を二つ折りした折線部１８Ａ毎に、連結ピン１３の軸線方向に対してに略垂直に（凸部側径大連結貫通穴１７の径方向）立ち上がり、片側突出部１９Ａを互いに背向して略矩形形状にして形成したものとなっている。この突出部１９の表面は、連結ピン１３の軸線に対して２°の角度をなすテーパーとなるテーパー面ＴＳ１，ＴＳ２で構成されている。この突出部９のテーパー面ＴＳ１，ＴＳ２は、連結ピン３の両端からそれぞれ中央に向かって上昇するように傾斜している。また、この突出部１９は、片側突出部１９Ａの両端が成す４つの角部２０ａ、２０ｂを有している。
【００４７】
また、突出部１９の高さも、前述した実施例１と同様に凹部側連結貫通穴１６Ａ、１６Ｂの直径より大きくしてある。そして、連結ピン１３は、突出部１９を中にして、互いに長さ寸法が略等しい一方及び他方のピン部１３Ａ、１３Ｂを有しており、突出部１９の長さは凸部側径大連結貫通穴１７の長さ寸法よりやや小さめにしてある。
【００４８】
そして、隣り合う長さ調整駒１２において、一方の長さ調整駒１２の凹部１５Ａに、他方の長さ調整駒１２の凸部１５を挿入した状態で、凹部側連結貫通穴１６Ａから凸部側径大連結貫通穴１７を介して凹部側連結貫通穴１６Ｂに前記連結ピン１３を挿入することにより、隣り合う長さ調整駒１２が互いに連結してある。
【００４９】
すなわち、前記連結ピン１３を、その一方のピン部１３Ａ側から一方の凹部側連結貫通穴１６Ａに、続けて凸部側連結貫通穴１７に挿入していくと、突出部１９が凹部側連結貫通穴１６Ａにより中心側に圧縮を受けて撓む。このときに、凹部側連結貫通穴１６Ａの内面に突出部１９のテーパー面ＴＳ１が当接し、突出部１９は徐々に圧縮されることになる。そして、突出部１９が凸部側径大連結貫通穴１７に挿入されて突出部１９の他方の角部２０ｂが凹部側連結貫通穴１６Ａの端部を過ぎると、突出部１９が凸部側径大連結貫通穴１７の径方向に変位して「カツン」という感触を指先に受ける。これにより突出部１９が凸部側径大連結貫通穴１７に入ったことが解る。
【００５０】
この状態では、連結ピン１３の一方のピン部１３Ａは凸部側径大連結貫通穴１７から凹部側連結貫通穴１６Ｂ内に至り、また、連結ピン１３の他方のピン部１３Ｂは凹部側連結貫通穴１６Ａ内に位置しており、隣り合う長さ調整駒１２は連結ピン１３により互いに連結される。
【００５１】
上記のように、連結ピン１３は、凹部側連結貫通穴１６Ａを通過するときに突出部１９のテーパー面ＴＳ１によって無理なく徐々に圧縮されることになる。このため、凹部側連結貫通穴１６Ａを通過したときに、突出部１９が変形したり、突出部１９の端部にクラックが発生することがない。また、図６に示す状態から連結ピン１３を図中左方向に抜脱する場合においては、凹部側連結貫通穴１６Ａを通過するときに突出部１９のテーパー面ＴＳ２によって無理なく徐々に突出部１９が圧縮されて、突出部１９に変形を起こすことなく抜き取ることができる。
【００５２】
このように、突出部１９の表面に２つのテーパー面ＴＳ１，ＴＳ２を設けることにより、連結ピン１３の組み込みと抜脱の際、あるいは連結ピン１３の向きにかかわらず、無理なく突出部１９を径方向に圧縮して凹部側連結貫通穴１６Ａ，１６Ｂを通過させることが可能となる。
【００５３】
また、本実施例のように幅の狭い長さ調整駒１２の場合には、連結ピン１３の突出部１９の長さも実施例１のものに比べて短くしなければならないため、前述したようにそのテーパー面ＴＳ１，ＴＳ２の傾斜角をより大きくすることが好ましい。従って、実施例２においては、このテーパー面ＴＳ１，ＴＳ２の傾斜角を２°に設定している。
【００５４】
また、この実施例２においても、連結ピン１３は、凹部側連結貫通穴１６Ａ、１６Ｂ、凸部側径大連結貫通穴１７内に自由な状態で組み込まれており（駒から圧迫を受けず）、圧接部がない。このために、連結ピン１３自体の材料特性（スプリング性等）が継続し、同じく連結ピン１３を繰り返し使用しても安定した着脱作業を行うことができる。
【００５５】
このように構成されたバンドの長さ調節構造は、上記した実施例１の場合と同様な利点を有することになる。
【００５６】
図７は本発明に係わるバンドの長さ調節構造（実施例３）の分解状態の斜視図である。
【００５７】
実施例３に係わるバンドの長さ調節構造は、長さ調整外駒２２と、互いに隣り合う長さ調整外駒２２を連結するための長さ調整中駒２３とを有している。長さ調整外駒２２は駒本体２２Ａを有しており、この駒本体２２Ａの一端部には、凹部２４と、この凹部２４の両側（バンド短手方向に両側）に位置するアーム部２５Ａ、２５Ｂとが形成してある。また、駒本体２２Ａの他端部には、凹部２６と、この凹部２６の両側（バンド短手方向に両側）に位置するアーム部２７Ａ、２７Ｂとが形成してある。そして、アーム部２５Ａ、２５Ｂにはバンド短手方向に沿う外駒側連結貫通穴（長さ調整外駒の連結貫通穴）２８Ａ、２８Ｂが、アーム部２７Ａ、２７Ｂにはバンド短手方向に沿う外駒側連結貫通穴（長さ調整外駒の連結貫通穴）２９Ａ、２９Ｂがそれぞれ形成してある。
【００５８】
また、長さ調整中駒２３は、隣り合う長さ調整外駒２２の互いに対向する凹部２４、２６が成す矩形状の穴部分（穴状部）イに挿入されるべく、矩形ブロック状の駒本体２３Ａを有している。この駒本体２３Ａには、バンド短手方向に沿う中駒側連結貫通穴（長さ調整中駒の連結貫通穴）３０、３１が形成してあり、これらの中駒側連結貫通穴３０、３１の一端には、外駒側連結貫通穴２８Ａ、２９Ａより径大の段穴部３２、３３が形成してある。そして、隣り合う長さ調整外駒２２の互いに対向する凹部２４、２６が成す矩形状の穴部分イに、長さ調整中駒２３を挿入した状態では、外駒側連結貫通穴２９Ａ、２９Ｂと一方の中駒側連結貫通穴３０とは一直線上に位置し、また、隣り合う長さ調整外駒２２外駒側連結貫通穴２８Ａ、２８Ｂと他方の中駒側連結貫通穴３１とは一直線上に位置するものとなっている。
【００５９】
一方、連結ピン３３−１、３３−２は、上記した実施例１の場合における、図１乃至図３に示す連結ピン３と同じ形状をしているため、その符号を図１乃至図３に示す連結ピン３と同様にして説明を省略する。
【００６０】
隣り合う一方及び他方の長さ調整外駒２２において、互いに対向する凹部２４、２６が成す矩形状の穴部分イに、長さ調整中駒２３を挿入した状態で、外駒側連結貫通穴２９Ａから一方の中駒側連結貫通穴３０を介して外駒側連結貫通穴２９Ｂに前記連結ピン３３−１を挿入し、また、隣り合う長さ調整外駒２２の外駒側連結貫通穴２８Ａから他方の中駒側連結貫通穴３１を介して外駒側連結貫通穴２８Ｂに前記連結ピン３３−２を挿入することにより、隣り合う長さ調整外駒２２が互いに連結してある。
【００６１】
すなわち、前記連結ピン３３−１を、その一方のピン部３Ａ側から外駒側連結貫通穴２９Ａに、続けて一方の中駒側連結貫通穴３０に挿入していくと、突出部９が外駒側連結貫通穴２９Ａにより中心側に圧縮を受けて撓む。このときに、外駒側連結貫通穴２９Ａの内面に突出部９のテーパー面ＴＳが当接し、突出部９は徐々に圧縮されることになる。そして、突出部９が段穴部３２に挿入されて突出部９の他方の角部１０ｂが外駒側連結貫通穴２９Ａの端部を過ぎると、突出部９が段穴部３２の径方向に変位して「カツン」という感触を指先に受ける。これにより突出部９が段穴部３２に入ったことが解る。この状態では、連結ピン３３−１の一方のピン部３Ａは一方の中駒側連結貫通穴３０から外駒側連結貫通穴２９Ｂ内に至り、また、連結ピン３３−１の他方のピン部３Ｂは外駒側連結貫通穴２９Ａ内に位置する。
【００６２】
また、連結ピン３３−２を、他方の外駒側連結貫通穴２８Ａから他方の中駒側連結貫通穴３１に挿入した場合においても、上記した連結ピン３３−１の挿入と同様に突出部９のテーパー面ＴＳにより突出部９が徐々に圧縮されて外駒側連結貫通穴２８Ａを通過し、突出部９が段穴部３３に達するとその径方向に変位して「カツン」という感触を指先に与える。このときに、連結ピン３３−２の一方のピン部３Ａは他方の中駒側連結貫通穴３１から外駒側連結貫通穴２８Ｂ内に至り、また、連結ピン３３−２のピン部３Ｂは外駒側連結貫通穴２８Ａ内に位置する。これにより、隣り合う長さ調整外駒２２が長さ調整中駒２３と連結ピン３３−１、３３−２により互いに連結される。
【００６３】
この場合においても、連結ピン３３−１、３３−２は、外駒側連結貫通穴２９Ａ、２９Ｂ、２８Ａ、２８Ｂ、中駒側連結貫通穴３０、３１、段穴部３２、３３内に自由な状態で組み込まれており（駒から圧迫を受けず）、圧接部分がない。このために、連結ピン３３−１、３３−２自体の材料特性（スプリング性等）が継続し、同じく連結ピン１３を繰り返し使用しても安定した着脱作業を行うことができる。
【００６４】
このように構成されたバンドの長さ調節構造は、上記した実施例１の場合と同様な利点を有する。
【００６５】
なお、本発明のバンドの長さ調節構造は、長さ調整外駒と、互いに隣り合う長さ調整外駒を連結するための複数の長さ調整中駒を有する場合にも、適用できるものである。
【００６６】
図８は本発明に係わるバンドの長さ調節構造（実施例４）の分解状態の斜視図である。
【００６７】
実施例４に係わるバンドの長さ調節構造は、実施例３の長さ調節構造を備えたバンドより幅の狭い（バンドの幅が５ｍｍ〜６ｍｍ以下のものに使用）、女性用バンドに具備されるものであり、長さ調整外駒４２と、互いに隣り合う長さ調整外駒４２を連結するための長さ調整中駒４３とを有している。
【００６８】
そして、長さ調整外駒４２は駒本体４２Ａを有しており、この駒本体４２Ａの一端部には、凹部４４と、この凹部４４の両側（バンド短手方向に両側）に位置するアーム部４５Ａ、４５Ｂとが形成してある。また、駒本体４２Ａの他端部には、凹部４６と、この凹部４６の両側（バンド短手方向に両側）に位置するアーム部４７Ａ、４７Ｂとが形成してある。そして、アーム部４５Ａ、４５Ｂにはバンド短手方向に沿う外駒側連結貫通穴（長さ調整外駒の連結貫通穴）４８Ａ、４８Ｂが、アーム部４７Ａ、４７Ｂにはバンド短手方向に沿う外駒側連結貫通穴（長さ調整外駒の連結貫通穴）４９Ａ、４９Ｂがそれぞれ形成してある。
【００６９】
また、長さ調整中駒４３は、隣り合う長さ調整外駒４２の互いに対向する凹部４４、４６が成す矩形状の穴部分イに挿入されるべく、矩形ブロック状の駒本体４３Ａを有しており、この駒本体４３Ａには、バンド短手方向に沿う２つの中駒側径大連結貫通穴（長さ調整中駒の径大連結貫通穴）５０、５１が形成してある。そして、隣り合う長さ調整外駒４２の互いに対向する凹部４４、４６が成す矩形状の穴部分（穴状部）イに、長さ調整中駒４３を挿入した状態では、外駒側連結貫通穴４９Ａ、４９Ｂと一方の中駒側径大連結貫通穴５０とは一直線上に位置し、また、外駒側連結貫通穴４８Ａ、４８Ｂと他方の中駒側径大連結貫通穴５１とは一直線上に位置するものとなっている。
【００７０】
連結ピン５３−１、５３−２は、上記した実施例２の場合における連結ピン１３と略同じ形状をしているため、その符号を図５及び図６に示す連結ピン１３と同様にして説明を省略する。
【００７１】
隣り合う長さ調整外駒４２において、互いに対向する凹部４４、４６が成す矩形状の穴部分イに、長さ調整中駒４３を挿入した状態で、外駒側連結貫通穴４９Ａから一方の中駒側径大連結貫通穴５０を介して外駒側連結貫通穴４９Ｂに前記連結ピン５３−１を挿入し、また、外駒側連結貫通穴４８Ａから他方の中駒側径大連結貫通穴５１を介して外駒側連結貫通穴４８Ｂに前記連結ピン５３−２を挿入することにより、隣り合う長さ調整外駒４２が互いに連結してある。
【００７２】
すなわち、前記連結ピン５３−１を、その一方のピン部１３Ａ側から外駒側連結貫通穴４９Ａに、続けて一方の中駒側径大連結貫通穴５０に挿入していくと、突出部１９が外駒側連結貫通穴４９Ａにより中心側に圧縮を受けて撓む。このときに、外駒側連結貫通穴４９Ａの内面に突出部１９のテーパー面ＴＳ１が当接し、突出部１９は徐々に圧縮されることになる。そして、突出部１９が中駒側径大連結貫通穴５０に挿入されて突出部１９の他方の角部２０ｂが外駒側連結貫通穴４９Ａの端部を過ぎると、突出部１９が中駒側径大連結貫通穴５０の径方向に変位して「カツン」という感触を指先に受ける。これにより突出部１９が中駒側径大連結貫通穴５０に入ったことが解る。この状態では、連結ピン５３−１の一方のピン部１３Ａは一方の中駒側連結貫通穴５０から外駒側連結貫通穴４９Ｂ内に至り、また、連結ピン５３−１の他方のピン部１３Ｂは外駒側連結貫通穴４９Ａ内に位置する。
【００７３】
また、連結ピン５３−２を、外駒側連結貫通穴４８Ａから他方の中駒側径大連結貫通穴５１に挿入した場合においても、上記した連結ピン５３−１の挿入と同様に外駒側連結貫通穴４８Ａの内面に突出部１９のテーパー面ＴＳ１が当接し、突出部１９が徐々に圧縮されて外駒側連結貫通穴４８Ａを通過し、突出部１９が中駒側径大連結貫通穴５１に達するとその径方向に変位して「カツン」という感触を指先に与える。そして、連結ピン５３−２の一方のピン部１３Ａは他方の中駒側径大連結貫通穴５１から外駒側連結貫通穴４８Ｂ内に至り、また、連結ピン５３−２のピン部１３Ｂは外駒側連結貫通穴４８Ａ内に位置する。これにより、隣り合う長さ調整外駒４２が長さ調整中駒４３と連結ピン５３−１、５３−２により互いに連結される。
【００７４】
この場合においても、連結ピン５３−１、５３−２は、外駒側連結貫通穴４９Ａ、４９Ｂ、４８Ａ、４８Ｂ、中駒側径大連結貫通穴５０、５１内に自由な状態で組み込まれており（駒から圧迫を受けず）、圧接部分がない。このために、連結ピン５３−１、５３−２自体の材料特性（スプリング性等）が継続し、同じく連結ピン５３−１、５３−２を繰り返し使用しても安定した着脱作業を行うことができる。
【００７５】
このように構成されたバンドの長さ調節構造は、上記した実施例１及び２の場合と同様な利点を有する。
【００７６】
【発明の効果】
上記本発明によれば、連結ピンの突出部の表面にテーパーを形成しているので、長さ調整駒や長さ調整外駒に設けられている連結貫通穴に連結ピンの突出部を通すときに、突出部が徐々に圧縮される。このため、突出部がつぶれて変形することがなく、複数回（繰り返しの脱着）の使用に耐えるものにすることができる。
【００７７】
また、連結ピンを組み込んだときに突出部が徐々に圧縮されるため、突出部の端部付近にいきなり大きなストレスがかかることがない。このため、クラックが発生することもなく、長期間安定した機能品質を保つことができる。
【００７８】
更に、連結ピンの突出部の表面がテーパーとなっているため、連結ピンの組み込みがし易く、一気に強い力を加える必要もなくなり、組込作業性も向上させることができる。
【００７９】
また、連結ピンを、連結貫通穴に挿入していき、突出部が段穴部に挿入されると、突出部が段穴部の径方向に変位して「カツン」という感触を指先に受けるために、連結ピンの突出部が段穴部に完全に入ったことが解り、結ピンの組み込みが確実に行われたことが感触として確認できる。
【００８０】
また、連結ピンの突出部の角部が段穴部の端部に干渉して、この段穴部がストッパーの働きをするために、連結ピンの位置が安定し、腕時計の携帯にずれることがない。
【００８１】
また、長さ調整駒等の連結部分を設計する上で段穴部の寸法を確保することは容易であり、バンドのデザインを特別に制約することなく、この長さ調節構造を用いることができる。
【００８２】
また、連結ピンが駒から圧迫を受けず、自由状態で組み込まれているので、連結ピン自体の材料特性（スプリング性等）が継続し、連結ピンの脱落が皆無になるし、また、同じく連結ピンを繰り返し使用しても安定した作業を行うことができる。
【００８３】
また、長さ調整駒又は長さ調整外駒の連結貫通穴の外端から段穴部の底までの長さＳと、連結ピンの先端部から突出部の一端までの長さＬとの関係をＳ＜Ｌに設定しているので、連結ピンの先端部が案内の役目をして円滑に突出部を段穴部に装着することができる。
【００８４】
また、本発明のバンドの長さ調節構造は、時計バンド、衣料用バンド、ブレスレッド、ネックレスに使用することができ、それらの長さ調節をより確実かつ容易に行うことを可能にしている。
【図面の簡単な説明】
【図１】本発明に係わるバンドの長さ調節構造（実施例１）の分解状態の斜視図である。
【図２】図１のＡ−Ａ線に沿う断面図である。
【図３】本発明に係わるバンドの長さ調節構造（実施例１）の一部断面した平面図である。
【図４】（１）は同バンドの長さ調節構造（実施例１）における連結ピンの側面図である。
（２）は同連結ピンの片側突出部の拡大図である。
（３）は図４の（１）のＦ−Ｆ線に沿う断面図である。
（４）は図４の（１）のＧ−Ｇ線に沿う断面図である。
（５）は図４の（１）のＨ−Ｈ線に沿う断面図である。
【図５】本発明に係わるバンドの長さ調節構造（実施例２）分解状態の斜視図である。
【図６】図５のＩ−Ｉ線に沿う断面図である。
【図７】本発明に係わるバンドの長さ調節構造（実施例３）の分解状態の斜視図である。
【図８】本発明に係わるバンドの長さ調節構造（実施例４）の分解状態の斜視図である。
【図９】従来のバンドの長さ調節構造の要部断面図である。
【図１０】図９に示す連結ピンの突出部に変形が起きた状態を示す要部断面図である。
【符号の説明】
ＴＳ，ＴＳ１，ＴＳ２  テーパー面
２      長さ調整駒
２Ａ    駒本体
３      連結ピン（ヘアーピン）
４Ａ    凹部
５      凸部
６Ａ、６Ｂ  凹部側連結貫通穴（凹部の連結貫通穴）
７          凸部側連結貫通穴（凸部の連結貫通穴）
７Ａ    段穴部
８      金属線
８Ａ    折線部
９      突出部
９Ａ    片側突出部
１２    長さ調整駒
１２Ａ  駒本体
１３    凹部
１５    凸部
１６Ａ、１６Ｂ  凹部側連結貫通穴（凹部の連結貫通穴）
１７            凸部側径大連結貫通穴（径大連結貫通穴）
１８    突出部
２２    長さ調整外駒
２３    長さ調整中駒
２４、２６  凹部
２８Ａ、２８Ｂ  外駒側連結貫通穴（長さ調整外駒の連結貫通穴）
２９Ａ、２９Ｂ  外駒側連結貫通穴（長さ調整外駒の連結貫通穴）
３０、３１      中駒側連結貫通穴（長さ調整中駒の連結貫通穴）
３２、３３      段穴部
４２    長さ調整外駒
４３    長さ調整中駒
４４、４６  凹部
４８Ａ、４８Ｂ  外駒側連結貫通穴（長さ調整外駒の連結貫通穴）
４９Ａ、４９Ｂ  外駒側連結貫通穴（長さ調整外駒の連結貫通穴）
５０、５１      中駒側径大連結貫通穴（径大連結貫通穴）
【図１】
0003929277.tif 000002
【図２】
0003929277.tif 000003
【図３】
0003929277.tif 000004
【図４】
0003929277.tif 000005
【図５】
0003929277.tif 000006
【図６】
0003929277.tif 000007
【図７】
0003929277.tif 000008
【図８】
0003929277.tif 000009
【図９】
0003929277.tif 000010
【図１０】
0003929277.tif 000011